(57)【要約】  家具部材用レッグレスト機構は、後退位置と伸展位置との間を移動可能なパンタグラフリンク機構と、前記パンタグラフリンク機構に接続され、レッグレスト台を支持する補助リンク機構とを備えてもよい。補助リンク機構は、伸展位置と後退位置との間のパンタグラフリンク機構の移動に応じて、パンタグラフリンク機構に対して回転可能である。パンタグラフリンク機構は、支持リンク、揺動リンクおよびクロスリンクを備えてもよい。揺動リンクは、支持リンクに回転可能に連結されてもよい。伸展位置において、補助リンク機構は、追加の伸展を可能とし、地面に対するレッグレスト台の高さを増し、かつ、レッグレスト台と家具部材のフレームとの間の距離を拡げることができる。【選択図】図６
2018504981.tif 000002
【特許請求の範囲】
【請求項１】
後退位置と伸展位置との間を移動可能なパンタグラフリンク機構と、四節リンク機構と、を備えるレッグレスト機構であって、
前記パンタグラフリンク機構は、
駆動部材に第一端部が回転可能に連結される第一支持リンクと、
第一端部と、第二端部と、前記第一端部および前記第二端部の間に設けられた中間部とを有する揺動リンクであって、前記第一端部は、家具部材のフレームに対して回転可能に連結され、前記中間部は前記第一支持リンクに回転可能に連結される揺動リンクと、
前記揺動リンクの前記第二端部に回転可能に連結され、前記第一支持リンクとのなす角度が前記後退位置および前記伸展位置の両方で一定であるように、前記第一支持リンクに対して方向づけられる第二支持リンクと、
前記第一支持リンクに回転可能に連結され、かつ、前記第二支持リンクに回転可能に連結される第一クロスリンクと、
前記第二支持リンクに回転可能に連結され、かつ、前記第一クロスリンクに支持部材により接続される第二クロスリンクと、を備え、
前記四節リンク機構は、前記第二クロスリンクに接続され、レッグレスト台を支持し、前記伸展位置と前記後退位置との間の前記パンタグラフリンク機構の移動に応じて、前記第二クロスリンクに対して回転可能である
ことを特徴とするレッグレスト機構。
【請求項２】
請求項１に記載のレッグレスト機構であって、
前記四節リンク機構は、前記パンタグラフリンク機構が前記伸展位置と前記後退位置との間を移動するのにしたがい、前記第二クロスリンクに対して連続的に回転し、
前記四節リンク機構のこのような連続回転は、前記パンタグラフリンク機構の移動全範囲にわたって起こる
ことを特徴とするレッグレスト機構。
【請求項３】
請求項２に記載のレッグレスト機構であって、
前記第一クロスリンクは、前記第一支持リンクの第二端部に回転可能に連結され、かつ、前記第二支持リンクの中間部に回転可能に連結される
ことを特徴とするレッグレスト機構。
【請求項４】
請求項１に記載のレッグレスト機構であって、
前記四節リンク機構は、前記第二クロスリンクに回転可能に連結される前側ボードリンクおよび後側ボードリンクと、前記前側ボードリンクおよび前記後側ボードリンクに回転可能に連結されるブラケットリンクとを備える
ことを特徴とするレッグレスト機構。
【請求項５】
請求項４に記載のレッグレスト機構であって、
前記支持部材は、前記後側ボードリンクの一部分である
ことを特徴とするレッグレスト機構。 
【請求項６】
請求項４に記載のレッグレスト機構であって、
前記レッグレスト台は前記ブラケットリンクに固着されている
ことを特徴とするレッグレスト機構。
【請求項７】
請求項１に記載のレッグレスト機構であって、
前記四節リンク機構は、前記第一クロスリンクに回転可能に連結される前側ボードリンクおよび後側ボードリンクと、前記前側ボードリンクおよび前記後側ボードリンクに回転可能に連結されるブラケットリンクとを備える
ことを特徴とするレッグレスト機構。
【請求項８】
請求項７に記載のレッグレスト機構であって、
前記支持部材は、前記後側ボードリンクに対して回転可能な第三支持リンクである
ことを特徴とするレッグレスト機構。
【請求項９】
請求項７に記載のレッグレスト機構であって、
前記レッグレスト台は前記ブラケットリンクに固着されている
ことを特徴とするレッグレスト機構。
【請求項１０】
請求項１に記載のレッグレスト機構であって、
前記パンタグラフリンク機構は、前記第一クロスリンクと前記第二クロスリンクとの間にわたり、かつ、前記第一クロスリンクと前記第二クロスリンクに回転可能に連結される第三支持リンクを備える
ことを特徴とするレッグレスト機構。
【請求項１１】
請求項１に記載のレッグレスト機構であって、
前記第一支持リンクは第一ストップ部材を備え、前記駆動リンクは、前記パンタグラフリンク機構が前記伸展位置にある場合、前記第一ストップ部材と干渉する第二ストップ部材を備える
ことを特徴とするレッグレスト機構。
【請求項１２】
請求項１に記載のレッグレスト機構であって、
前記第二支持リンクおよび前記第一クロスリンクに回転可能に連結され、オットマン台を固定支持するオットマンリンクとをさらに備える
ことを特徴とするレッグレスト機構。
【請求項１３】
請求項１に記載のレッグレスト機構であって、
前記四節リンク機構は、前記後退位置において前記パンタグラフリンク機構と干渉し、それによりレッグレスト機構の移動範囲を制限するストップ部材を備える
ことを特徴とするレッグレスト機構。
【請求項１４】
後退位置と伸展位置との間を移動可能なパンタグラフリンク機構と、補助リンク機構と、を備えるレッグレスト機構であって、
前記パンタグラフリンク機構は、
駆動部材に第一端部が回転可能に連結される第一支持リンクと、
前記第一支持リンクに回転可能に連結される中間部を備える揺動リンクと、
前記揺動リンクに回転可能に連結され、前記第一支持リンクとのなす角度が前記後退位置および前記伸展位置の両方で一定であるように、前記第一支持リンクに対して方向づけられる第二支持リンクと、
前記第二支持リンクに回転可能に連結されるクロスリンクと、を備え、
前記補助リンク機構は、前記クロスリンクに接続され、前側ボードリンクと、後側ボードリンクと、レッグレスト台を固定支持するブラケットリンクとを備え、前記補助リンク機構は、前記伸展位置と前記後退位置との間の前記パンタグラフリンク機構の移動に応じて、前記クロスリンクに対して回転可能である
ことを特徴とするレッグレスト機構。
【請求項１５】
請求項１４に記載のレッグレスト機構であって、
前記補助リンク機構は、前記パンタグラフリンク機構が前記伸展位置と前記後退位置との間を移動するのにしたがい、前記クロスリンクに対して連続的に回転し、
前記補助リンク機構のそのような連続回転は、前記パンタグラフリンク機構の移動の全範囲にわたって起こる、ことを特徴とするレッグレスト機構。
【請求項１６】
請求項１４に記載のレッグレスト機構であって、 
前記クロスリンクは、別のクロスリンクに支持部材により接続される
ことを特徴とするレッグレスト機構。
【請求項１７】
請求項１６に記載のレッグレスト機構であって、
前記別のクロスリンクは、前記第一支持リンクに回転可能に連結され、かつ、前記第二支持リンクに回転可能に連結される
ことを特徴とするレッグレスト機構。
【請求項１８】
請求項１７に記載のレッグレスト機構であって、
前記パンタグラフリンク機構は、両方の前記クロスリンクの間にわたり、かつ、前記クロスリンクに回転可能に連結される第三支持リンクを備える
ことを特徴とするレッグレスト機構。
【請求項１９】
請求項１４に記載のレッグレスト機構であって、
前記揺動リンクの第一端部は、家具部材のフレームに回転可能に連結される
ことを特徴とするレッグレスト機構。
【請求項２０】
請求項１９に記載のレッグレスト機構であって、
前記揺動リンクの第二端部は、前記第二支持リンクに回転可能に連結される
ことを特徴とするレッグレスト機構。
【請求項２１】
請求項１４に記載のレッグレスト機構であって、
前記第一支持リンクは第一ストップ部材を備え、
前記駆動リンクは、前記パンタグラフリンク機構が前記伸展位置にある場合、前記第一ストップ部材と干渉する第二ストップ部材を備える
ことを特徴とするレッグレスト機構。  
【請求項２２】
請求項２１に記載のレッグレスト機構であって、
前記補助リンク機構は、前記後退位置において前記パンタグラフリンク機構と干渉し、それにより前記レッグレスト機構の移動範囲を制限するストップ部材を備える
ことを特徴とするレッグレスト機構。
【発明の詳細な説明】
【技術分野】
【０００１】
本願開示は、家具部材用のレッグレスト機構に関する。
【背景技術】
【０００２】
本セクションは、本願開示事項に関連する背景情報を提供するが、これは必ずしも先行技術にはあたらない。
【０００３】
椅子、ソファ、二人掛けソファ、ユニット式ソファ等の家具部材は、家具部材の使用者が、レッグレストパネルまたはレッグレスト台を、収容位置または後退位置から展開位置または伸展位置に動かし、使用者の脚および/または足を支持できるようにする機構を含み得る。レッグレスト台が伸展位置にある場合、家具部材の椅子本体のシート部分に対するレッグレスト台の位置決めは、使用者の快適さレベルに重大な影響を有し得る。
【発明の概要】
【０００４】
本セクションは、開示事項の概略を示すものであり、その範囲全体又はその全ての特徴を包括的に開示するものではない。
【課題を解決するための手段】
【０００５】
ひとつの形態において、本願開示は、後退位置と伸展位置との間を移動可能なパンタグラフリンク機構と、前記パンタグラフリンク機構に接続され、レッグレスト台を支持する補助リンク機構とを備える、家具部材用レッグレスト機構を提供する。補助リンク機構は、伸展位置と後退位置との間のパンタグラフリンク機構の移動に応じて、パンタグラフリンク機構に対して回転可能である。伸展位置において、追加の伸展を可能とし、これによりレッグレスト機構は、地面に対するレッグレスト台の高さを増し、かつ、レッグレスト台と家具部材のフレームとの間の距離を拡げることができる。
【０００６】
別の形態において、本願開示は、パンタグラフリンク機構と四節リンク機構とを備えてもよいレッグレスト機構を提供する。パンタグラフリンク機構は、後退位置と伸展位置との間を移動可能であり、第一支持リンク、第二支持リンク、揺動リンク、第一クロスリンク、および第二クロスリンクを備えてもよい。第一支持リンクの第一端部は、駆動部材に回転可能に連結されてもよい。揺動リンクの第一端部は、家具部材のフレームに回転可能に連結されてもよい。揺動リンクの中間部は、第一支持リンクに回転可能に連結されてもよい。第二支持リンクは、揺動リンクの第二端部に回転可能に連結され、第一支持リンクと第二支持リンクとのなす角度が後退位置および伸展位置の両方で一定であるように、第一支持リンクに対して方向づけられてもよい。第一クロスリンクは、第一支持リンクに回転可能に連結され、かつ、第二支持リンクに回転可能に連結されてもよい。第二クロスリンクは、第二支持リンクに回転可能に連結されてもよく、第一クロスリンクに支持部材により接続されてもよい。四節リンク機構は、第二クロスリンクに接続され、レッグレスト台を支持してもよい。四節リンク機構は、伸展位置と後退位置との間のパンタグラフリンク機構の移動に応じて、第二クロスリンクに対して回転可能であってもよい。
【０００７】
いくつかの構成において、四節リンク機構は、パンタグラフリンク機構が伸展位置と後退位置との間を移動するのにしたがい、第二クロスリンクに対して連続的に回転する。四節リンク機構のこのような連続回転は、パンタグラフリンク機構が移動する全範囲にわたって起こり得る。
【０００８】
いくつかの構成において、第一クロスリンクは、第一支持リンクの第二端部に回転可能に連結され、かつ、第二支持リンクの中間部に回転可能に連結されてもよい。
【０００９】
いくつかの構成において、四節リンク機構は、第二クロスリンクに回転可能に連結される前側ボードリンクおよび後側ボードリンクと、前側ボードリンクおよび後側ボードリンクに回転可能に連結されるブラケットリンクとを備える。
【００１０】
いくつかの構成において、支持部材は、後側ボードリンクの一部分である。
【００１１】
いくつかの構成において、レッグレスト台はブラケットリンクに固着されている。
【００１２】
いくつかの構成において、四節リンク機構は、第一クロスリンクに回転可能に連結される前側ボードリンクおよび後側ボードリンクと、前側ボードリンクおよび後側ボードリンクに回転可能に連結されるブラケットリンクとを備える。
【００１３】
いくつかの構成において、支持部材は、後側ボードリンクに対して回転可能な第三支持リンクである。
【００１４】
いくつかの構成において、レッグレスト台はブラケットリンクに固着されている。
【００１５】
いくつかの構成において、パンタグラフリンク機構は、第一クロスリンクと第二クロスリンクとの間にわたり、かつ、これらのクロスリンクに回転可能に連結される第三支持リンクを備える。
【００１６】
いくつかの構成において、第一支持リンクは第一ストップ部材を備え、駆動リンクは、パンタグラフリンク機構が伸展位置にある場合、第一ストップ部材と干渉する第二ストップ部材を備える。
【００１７】
いくつかの構成において、レッグレスト機構は、第二支持リンクおよび第一クロスリンクに回転可能に連結するオットマンリンクを備える。オットマンリンクは、オットマン台を固定支持してもよい。
【００１８】
いくつかの構成において、四節リンク機構は、後退位置においてパンタグラフリンク機構と干渉してレッグレスト機構の移動範囲を制限するストップ部材を備える。
【００１９】
別の形態において、本願開示は、パンタグラフリンク機構と補助リンク機構とを備えてもよいレッグレスト機構を提供する。パンタグラフリンク機構は、後退位置と伸展位置との間を移動可能であり、第一支持リンク、第二支持リンク、揺動リンク、クロスリンクを備えてもよい。第一支持リンクの第一端部は、駆動部材に回転可能に連結されてもよい。揺動リンクは、第一支持リンクに回転可能に連結される中間部を備えてもよい。第二支持リンクは、揺動リンクに回転可能に連結され、第一支持リンクと第二支持リンクとのなす角度が後退位置および伸展位置の両方で一定であるように、第一支持リンクに対して方向づけられてもよい。クロスリンクは、第二支持リンクに回転可能に連結されてもよい。補助リンク機構は、クロスリンクに連結され、前側ボードリンク、後側ボードリンクおよびブラケットリンクを備える。ブラケットリンクは、レッグレスト台を固定支持してもよい。補助リンク機構は、伸展位置と後退位置との間のパンタグラフリンク機構の移動に応じて、クロスリンクに対して回転可能であってもよい。
【００２０】
いくつかの構成において、補助リンク機構は、パンタグラフリンク機構が伸展位置と後退位置との間を移動するのにしたがい、クロスリンクに対して回転する。補助リンク機構のこのような連続回転は、パンタグラフリンク機構の移動全範囲にわたって起こり得る。
【００２１】
いくつかの構成において、クロスリンクは、別のクロスリンクに支持部材により接続される。
【００２２】
いくつかの構成において、前述の別のクロスリンクは、第一支持リンクに回転可能に連結され、かつ、第二支持リンクに回転可能に連結される。
【００２３】
いくつかの構成において、パンタグラフリンク機構は、両方のクロスリンクの間にわたり、かつ、これらのクロスリンクに回転可能に連結される第三支持リンクを備える。
【００２４】
いくつかの構成において、揺動リンクの第一端部は、家具部材のフレームに回転可能に連結される。
【００２５】
いくつかの構成において、揺動リンクの第二端部は、第二支持リンクに回転可能に連結される。
【００２６】
いくつかの構成において、第一支持リンクは第一ストップ部材を備え、駆動リンクは、パンタグラフリンク機構が伸展位置にある場合、第一ストップ部材と干渉する第二ストップ部材を備える。
【００２７】
いくつかの構成において、補助リンク機構は、後退位置においてパンタグラフリンク機構と干渉してレッグレスト機構の移動範囲を制限するストップ部材を備える。
【００２８】
さらなる利用分野は、本願明細書に示される記載から明らかになるであろう。この概要における説明および特定の実施例は、説明のみを目的とするものであり、本願開示の範囲を限定するものではない。
【図面の簡単な説明】
【００２９】
ここに示される図面は、選択された実施形態の説明のみを目的とするものであり、可能な全ての実施を示すものではなく、本願開示事項の範囲を限定することを意図するものでもない。
【図１】後退位置にレッグレストを有する家具部材の斜視図である。
【図２】レッグレストが部分的に伸展した位置にある図１の家具部材の斜視図である。
【図３】家具部材の椅子本体の一部分と、後退位置にあるレッグレスト機構の側面図である。
【図４】図３の椅子本体の一部分と、部分的に伸展した位置にあるレッグレスト機構の側面図である。
【図５】図３の椅子本体の一部分と、完全に伸展した位置にあるレッグレスト機構の側面図である。
【図６】図３の椅子本体の一部分と、後退位置にあるレッグレスト機構の一部分の斜視図である。図中、レッグレスト機構における一対のパンタグラフリンク機構の一つと一対の補助リンク機構の一つは、簡略化するために図６から省かれている。
【図７】図６の椅子本体の一部分と、完全に伸展した位置にあるレッグレスト機構の斜視図である。
【図８】図６の後退位置にあるパンタグラフリンク機構の一つと補助リンク機構の一つの側面図である。
【図９】完全に伸展した位置にある図８のパンタグラフリンク機構と補助リンク機構の側面図である。
【図１０】完全に伸展した位置にある図８のパンタグラフリンク機構と補助リンク機構の第一斜視図である。
【図１１】完全に伸展した位置にある図８のパンタグラフリンク機構と補助リンク機構の第二斜視図である。
【図１２】図８のパンタグラフリンク機構と補助リンク機構の展開斜視図である。
【図１３】図３の椅子本体の一部分とレッグレスト機構の側面図である。図において、補助リンク機構を有するレッグレスト機構により支持されるレッグレスト台（実線）の位置が、同一のレッグレスト機構であるが補助リンク機構を有しないものにより支持されるレッグレスト台（点線）の相対位置と比較して図示される。
【図１４】直立位置にある背もたれリクライニング機構と、後退位置にあるレッグレスト機構の側面図である。
【図１５】図１４の直立位置にある背もたれリクライニング機構と、部分的に伸展した位置にあるレッグレスト機構の側面図である。
【図１６】図１４の直立位置にある背もたれリクライニング機構と、さらに伸展した位置にあるレッグレスト機構の側面図である。
【図１７】図１４の直立位置にある背もたれリクライニング機構と、完全に伸展した位置にあるレッグレスト機構の側面図である。
【図１８】図１４の傾倒位置にある背もたれリクライニング機構と、完全に伸展した位置にあるレッグレスト機構の側面図である。
【図１９】部分的に延伸した位置にある図１４のレッグレスト機構のパンタグラフリンク機構と補助リンク機構の斜視図である。
【図２０】部分的に伸展した位置にある図１４のレッグレスト機構のパンタグラフリンク機構と補助リンク機構の側面図である。
【００３０】
いくつかの図面を通して、対応する参照番号は、対応する部分を示す。
【発明を実施するための形態】
【００３１】
添付の図面を参照して、例示的実施形態をより詳細に説明する。
【００３２】
本願開示を十全なものとし、かつ本願開示により請求の範囲が当業者に十分に伝わるように実施形態を提示する。本願開示の実施形態の十全な理解を提供するため、具体的な構成要素、素子及び方法の例など、数多くの具体的詳細を記載している。当業者にとって、具体的な詳細を用いる必要はなく、例示的実施形態は多くの異なる形態で実装可能であり、また本願開示を限定するものと解釈すべきでないことは明らかであろう。いくつかの例示的実施形態において、公知の方法、公知の素子構造及び公知の技術は、詳細に記載されない。
【００３３】
本明細書中で用いられる用語は、具体的な例示的実施形態を記述することのみを目的とするものであり、限定的であることを意図しない。本明細書で使用される際、単数形は、明示されていない限り複数形も含むことを意図する。用語「備える」、「備えて」、「含んで」および「有して」は包括的であり、述べられた特徴、整数、工程、操作、要素、および／または部品の存在を特定する。しかし、１以上の特徴、整数、工程、操作、要素、部品および／または群の存在または追加を排除するものではない。本明細書で記載される方法工程、プロセスおよび操作は、実行順序として詳細に特定されない限り、必ずしも記載または図示された特定の順序で実行を要するものと解釈されるべきではない。追加工程または代替工程が用いられてもよいことも理解されるであろう。
【００３４】
要素または層が、他の要素または層「上に」ある、「に係合」、「に接続」または「に連結」すると記される場合、この要素または層は直接に他の要素または層上にあるか、係合、接続、または連結してもよい。または、介在要素または層があってもよい。一方、要素が、他の要素または層の「直接上に」ある、「に直接係合」、「に直接接続」または「に直接連結」すると記される場合、介在要素または層は存在しなくてよい。要素同士の関係を説明するのに使用される他の文言（例えば、「の間に」と「直接の間に」、「隣接して」と「直接隣接して」など）は、同様に解釈されるべきである。本明細書で用いられる際、用語「および／または」は１以上の関連づけられたリスト項目の全ての組み合わせを含む。
【００３５】
第一、第二、第三等の用語が各種要素、部品、領域、層および／または切断面を説明するために本明細書で使用されるが、これらの要素、部品、領域、層および／または切断面はこれらの用語により限定されるものではない。これらの用語は、ある要素、部品、領域、層および／または切断面を他の領域、層または切断面から区別するためにのみ使用されてもよい。本明細書で使用される際の「第一」「第二」のような用語および他の数に関する用語は、文脈で明示されない限り、配列または順序を意味しない。したがって、下記で論じられる第一要素、部品、領域、層および／または切断面は、実施例の教示から逸脱することなく第二要素、部品、領域、層および／または切断面と称されることも可能である。
【００３６】
「インナー」、「アウター」、「真下に」、「下に」、「下側の」「上に」、「上部に」等のような空間的に相対的な用語が、図示する際、ある要素または特徴と他の要素または特徴との関係の記載を容易にするために、本明細書で使われてもよい。空間的に相対的な用語は、図示される向きに加えて、使用時または操作時における装置の異なる向きを包含するとしてもよい。例えば、図の装置がひっくり返ると、他の要素または特徴の「下に」または「真下に」と記載される要素は、他の要素または特徴の「上に」置かれるだろう。このように、例示の用語「下に」は上と下両方への向きを包含することが可能である。装置は他方向に向かされてもよい（９０度回転または他の向きに）。本明細書で使用される空間関連記述子は適宜解釈される。
【００３７】
図１および図２を参照して、家具部材１０は、椅子本体１２と、背もたれ１４と、伸展可能なレッグレスト１６とを備えるように設けられる。背もたれ１４は、直立位置（図１および２）と傾倒位置（図示なし）との間で、椅子本体１２に対して移動可能であってよい。ハンドル１８は、椅子本体１２の側面に配置されてもよい。椅子本体１２に対して方向Ｄ１にハンドル１８を回転させ、レッグレスト機構２０（図２）を始動させてもよい。レッグレスト機構２０は、椅子本体１２に対してレッグレスト１６を展開位置または伸展位置に向かって方向Ｄ２に移動させることができる（図５）。ハンドル１８は、方向Ｄ１とは逆方向にも回転可能で、レッグレスト１６を収容位置または後退位置に向かって、方向Ｄ２とは逆方向に移動させることができる（図１および３に図示）。レッグレスト１６は、パッドおよび布張り２４（図１および２に図示）で覆われたレッグレストボードまたはレッグレスト台２２（図３−５に図示）を備えてもよい。
【００３８】
図３−１３を参照して、レッグレスト機構２０を詳細に記載する。図５に示されるように、例えば、レッグレスト機構２０は、駆動ロッド２６、一対の駆動リンク２８（一方のみ図示）、一対のパンタグラフリンク機構３０（一方のみ図示）、および一対の補助リンク機構３２（一方のみ図示）を備えてもよい。補助リンク機構３２は、それぞれ対応するパンタグラフリンク機構３０に装着され、レッグレスト台２２を支持するように協働する。
【００３９】
図６に示されるように、駆動ロッド２６は、椅子本体１２の幅にわたり、椅子本体１２により回転可能に支持されてもよい。具体的には図示されていないが、ハンドル１８（図１および２）を椅子本体１２に対して回転させると、それに対応して駆動ロッド２６が椅子本体１２に対して回転するように、ハンドル１８を駆動ロッド２６の端部３４（図６）に固着してもよい。駆動リンク２８は、駆動ロッド２６と共に椅子本体１２に対して回転するように、駆動ロッド２６に装着される。駆動ロッド２６が回転することにより、パンタグラフリンク機構３０が後退位置（図３および６）と伸展位置（図５および７）の間を移動するように、パンタグラフリンク機構３０は、対応する駆動リンク２８に回転可能に接続される。
【００４０】
図１０−１２に示されるように、例えば、各パンタグラフリンク機構３０は、長尺支持リンク３６、揺動リンク３８、中間支持リンク４０、下側クロスリンク４２、上側クロスリンク４４、短尺支持リンク４６、および湾曲支持リンク４８を備えてもよい。図１０および１１に示されるように、長尺支持リンク３６の第一端部５０は、駆動リンク２８の端部５２に回転可能に連結されてもよい。長尺支持リンク３６の第一端部５０は、第一ストップ部材５４および第二ストップ部材５６を備えてもよく、レッグレスト機構２０が完全に伸展した位置にある場合、第一ストップ部材５４は、駆動リンク２８に配置された第二ストップ部材５６と干渉する（図５）。長尺支持リンク３６の第二端部５８は、下側クロスリンク４２の第一端部６０に回転可能に連結される。長尺支持リンク３６の中間部６２（第一端部５０と第二端部５８との間に設けられる）は、揺動リンク３８の中間部６４に回転可能に連結される。
【００４１】
揺動リンク３８の第一端部６６は、椅子本体１２に設けられた支持ロッド６８（図６および７）に回転可能に連結されてもよい。図１１に示されるように、揺動リンク３８の第二端部７０は、中間支持リンク４０の第一端部７２に回転可能に連結されてもよい。揺動リンク３８の中間部６４は、第一端部６６および第二端部７０の間に設けられる。
【００４２】
図５および１１に示されるように、中間支持リンク４０の第二端部７４は、上側クロスリンク４４の第一端部７６に回転可能に連結される。中間支持リンク４０の中間部７８（第一端部７２と第二端部７４との間に設けられる）は、下側クロスリンク４２の第一中間部８０に回転可能に連結される。いくつかの構成において、オットマンリンク７９は、中間支持リンク４０の中間部７８に回転可能に連結され、かつ、長尺支持リンク３６の第二端部５８に回転可能に連結されてもよい。オットマン台８１（図７）は、両方のパンタグラフリンク機構３０のオットマンリンク７９に設けられてもよい。図１０および１１に示されるように、下側クロスリンク４２の第二中間部８２は、短尺支持リンク４６の第一端部８４に回転可能に連結される。短尺支持リンク４６の第二端部８６（図４および１０）は、補助リンク機構３２に回転可能に連結される。
【００４３】
図４および１１に示されるように、下側クロスリンク４２の第二端部８８は、湾曲支持リンク４８の第一端部９０に回転可能に連結される。湾曲支持リンク４８の第二端部９２は、上側クロスリンク４４の第一中間部９４に回転可能に連結される。上側クロスリンク４４の中間部９６および上側クロスリンク４４の第二端部９８は、補助リンク機構３２に回転可能に連結される。
【００４４】
図９、１０および１２に示されるように、各補助リンク機構３２は、四節リンク機構であってもよく、後側ボードリンク１００、前側ボードリンク１０２およびアングルブラケットリンク１０４を備えてよい。後側ボードリンク１００は、第一端部１０６、第二端部１０８、および第一端部１０６と第二端部１０８の間に設けられた中間部１１０を備える。第一端部１０６は、第二端部１０８と中間部１１０に対して曲げられていてもよい。第一端部１０６は、短尺支持リンク４６の第二端部８６に回転可能に連結されてもよい。後側ボードリンク１００の第二端部１０８は、アングルブラケットリンク１０４の第一端部１１２に回転可能に連結されてもよい。後側ボードリンク１００の中間部１１０は、上側クロスリンク４４の第二中間部９６に回転可能に連結されてもよい。
【００４５】
図９、１１および１２に示されるように、前側ボードリンク１０２は、上側クロスリンク４４の第二端部９８に回転可能に連結される第一端部１１４を備えてもよい。前側ボードリンク１０２の第二端部１１６は、アングルブラケットリンク１０４の第二端部１１８に回転可能に連結されてもよい。前側ボードリンク１０２は、ストップ部材１１９を備えてもよい。ストップ部材１１９は、後退位置で上側クロスリンク４４と接触し（図３および８に図示）、レッグレスト機構２０の移動を制限するストッパとして作用してもよい。アングルブラケットリンク１０４は、フランジ部１２０を有してもよい（図１１）。図５に示されるように、レッグレスト台２２は、両方の補助リンク機構３２のアングルブラケットリンク１０４のフランジ部１２０に載置される。
【００４６】
図３−５に示されるように、補助リンク機構３２は、パンタグラフリンク機構３０が後退位置と伸展位置の間を移動するのに応じて、折り畳み位置（図３）から展開位置（図５）に移動可能である。補助リンク機構３２は、パンタグラフリンク機構３０の移動全範囲にわたって、折り畳み位置と展開位置との間を連続的に移動可能である。すなわち、補助リンク機構３２の折り畳み位置から展開位置への移動の開始および終了は、パンタグラフリンク機構３０の後退位置から完全な伸展位置への移動の開始および終了と同時に行われてもよい。
【００４７】
図１３は、完全な伸展位置にある、本願開示のレッグレスト機構２０およびレッグレスト台２２を表す。図１３は、また、完全な伸展位置にある、補助リンク機構３２を備えない同一のレッグレスト機構に載置されたレッグレスト台２２’を表す。図１３に示されるように、補助リンク機構３２は、レッグレスト台２２’の完全伸展位置よりも鉛直方向により高く、レッグレスト台２２’の完全伸展位置よりも、椅子本体１２から（水平方向に）より遠く伸展した位置まで、レッグレスト台２２を展開することができる。いくつかの実施形態において、追加される鉛直方向の伸展は、約２インチであってもよく、追加される水平方向の伸展は約２インチであってもよい。他の実施形態では、追加される鉛直方向および／または水平方向の伸展は、２インチを超えるか２インチ未満であってもよい。レッグレスト台２２の追加される鉛直方向および水平方向の伸展により、使用者にとってより快適である位置にレッグレスト台２２が配置され得る。例えば、背の高い使用者および／または脚の長い使用者は、補助リンク機構３２により提供される追加の伸展により、彼らの脚および／または足にとってより快適なサポートが得られることに気づくだろう。
【００４８】
レッグレスト機構２０が後退位置にある場合（図３に図示）、後側ボードリンク１００、前側ボードリンク１０２、およびアングルブラケットリンク１０４の全て、または、多くが、上側クロスリンク４４の後ろ側で折りたたまれるか、または、上側クロスリンク４４と一直線に並ぶので、補助リンク機構３２付きレッグレスト機構２０は、（補助リンク機構３２なしの同一のレッグレスト機構を収容するのに必要とされる、椅子本体１２内のスペース量に比べると）椅子本体１２内で後退するのにそれ程広い追加スペースを必要としない。したがって、補助リンク機構３２は、レッグレスト機構２０が後退位置にある場合、椅子本体１２内に追加スペースを必要とすることなく、レッグレスト台２２を鉛直方向および水平方向にさらに伸展させる。
【００４９】
図１４−２０を参照して、上述のレッグレスト機構２０の代わりに、家具部材１０（図１および２）に組み込んでもよい別のレッグレスト機構２２０が提供される。レッグレスト機構２２０は、後退位置（図１４）と伸展位置（図１７および１８）との間で、椅子本体１２（図１および２）に対して移動可能であってもよい。レッグレスト機構２２０は、家具部材１０の背もたれ１４（図１および２）を直立位置と傾倒位置との間で動かすように作動する背もたれリクライニング機構２２１に備え付けられてもよい。リクライニング機構２２１は、譲受人が共同所有する米国特許第７，５８５，０１８号に開示されるリクライニング機構と類似または同一の構造および機能を有してもよい。上記特許の開示内容は、本明細書に援用される。
【００５０】
図１５および１６に示されるように、レッグレスト機構２２０は、一対の第一クランクリンク２２３（一方のみ図示）、一対の第二クランクリンク２２５（一方のみ図示）、一対の第一駆動リンク２２７（一方のみ図示）、一対の第二駆動リンク２２９（一方のみ図示）、一対のパンタグラフリンク機構２３０（一方のみ図示）および一対の補助リンク機構２３２（一方のみ図示）を備えてもよい。第一クランクリンク２２３および第二クランクリンク２２５は、リクライニング機構２２１のサイドプレート２３１に回転可能に装着されている。各第一クランクリンク２２３は、ハンドル１８に接続および駆動されてもよい駆動ロッド２２６に回転可能に連結されてもよい（図１および２）。各第一クランクリンク２２３の端部２３３は、対応する第一駆動リンク２２７の第一端部２３５に回転可能に連結されてもよい。各第二クランクリンク２２５の端部２３７は、対応する第二駆動リンク２２９の第一端部２３９に回転可能に連結されてもよい。第一駆動リンク２２７の第二端部２４１と第二駆動リンク２２９の第二端部２４３（図２０）は、パンタグラフリンク機構２３０に回転可能に連結されてもよい。
【００５１】
図１９および２０に示されるように、各パンタグラフリンク機構２３０は、後部揺動リンク２４２、前部揺動リンク２４４、第一支持リンク２４６、第二支持リンク２４８、下側クロスリンク２５０、および上側クロスリンク２５２を備えてもよい。後部揺動リンク２４２の第一端部２５４は、サイドプレート２３１に回転可能に連結されてもよい（図１５に図示）。後部揺動リンク２４２の第二端部２５６は、第一支持リンク２４６の第一端部２５８に回転可能に連結されてもよい。後部揺動リンク２４２の中間部２６０は、第一駆動リンク２２７の第二端部２４１と第二駆動リンク２２９の第二端部２４３に回転可能に連結されてもよい。
【００５２】
前部揺動リンク２４４の第一端部２６２は、サイドプレート２３１に回転可能に連結されてもよい（図１５に図示）。前部揺動リンク２４４の第二端部２６４は、第二支持リンク２４８の第一端部２６６に回転可能に連結されてもよい。前部揺動リンク２４４の中間部２６８は、第一支持リンク２４６の第一中間部２７０に回転可能に連結されてもよい。
【００５３】
第一支持リンク２４６の第二端部２７２は、上側クロスリンク２５２の第一端部２７４に回転可能に連結されてもよい。第一支持リンク２４６の第二中間部２７６は、下側クロスリンク２５０の第一端部２７８に回転可能に連結されてもよい。第一支持リンク２４６の第二中間部２７６は、第二端部２７２と第一中間部２７０との間に設けられる。第二支持リンク２４８の第二端部２８０（図１９）は、上側クロスリンク２５２の中間部２８２に回転可能に連結されてもよい。下側クロスリンク２５０の第二端部２８４は、補助リンク機構２３２に回転可能に連結される。上側クロスリンク２５２の第二端部２８６もまた、補助リンク機構２３２に回転可能に連結される。
【００５４】
図１９および２０に示されるように、各補助リンク機構２３２は、四節リンク機構であってもよく、後側ボードリンク２８８、前側ボードリンク２９０およびアングルブラケットリンク２９２を備えてよい。図１４−１８に示されるように、補助リンク機構２３２は、パンタグラフリンク機構２３０が後退位置と伸展位置の間を移動するのに応じて、折りたたみ位置（図１４）から完全展開位置（図１７および１８）に移動可能である。補助リンク機構２３２は、パンタグラフリンク機構２３０の移動全範囲にわたって、折り畳み位置と展開位置との間を連続的に移動可能である。すなわち、補助リンク機構２３２の折り畳み位置から展開位置への移動の開始および終了は、パンタグラフリンク機構２３０の後退位置から完全な伸展位置への移動の開始および終了と同時に行われてもよい。
【００５５】
後側ボードリンク２８８は、下側クロスリンク２５０の第二端部２８４と回転可能に連結する第一端部２９４を有する。後側ボードリンク２８８の第二端部２９６は、アングルブラケットリンク１０４の第一端部２９８に回転可能に連結される。後側ボードリンク２８８の中間部３００（第一端部２９４と第二端部２９６との間に設けられる）は、上側クロスリンク２５２の中間部２８２に回転可能に連結されてもよい。図１９に示されるように、第二支持リンク２４８の第二端部２８０、上側クロスリンク２５２の中間部２８２、および後側ボードリンク２８８の中間部３００は、全て、ピン３０２により規定される共通の回転軸を中心に回転可能に連結される。
【００５６】
図１９および２０に示されるように、前側ボードリンク２９０は、上側クロスリンク２５２の第二端部２８６に回転可能に連結される第一端部３０４を有する。前側ボードリンク２９０の第二端部３０６は、アングルブラケットリンク２９２の第二端部３０８に回転可能に連結される。図１４および１９に示されるように、前側ボードリンク２９０は、レッグレスト機構２２０が完全な後退位置にある場合、上側クロスリンク２５２から延出する鋲２９５と干渉する段差２９３を備えてもよい。このように、段差２９３および鋲２９５は、レッグレスト機構２２０の移動範囲を制限するストップ部材として働く。アングルブラケットリンク２９２は、フランジ部３１０を有してもよい。図１４−１８に示されるように、レッグレスト台２２は、両方の補助リンク機構２３２のアングルブラケットリンク２９２のフランジ部３１０に載置される。
【００５７】
レッグレスト機構２０に関する上述の通り、レッグレスト機構２２０の補助リンク機構２３２は、レッグレスト台２２’の完全伸展位置（図１３）よりも鉛直方向により高く、椅子本体１２から（水平方向に）より遠く伸展した位置まで、レッグレスト台２２を展開することができる。いくつかの実施形態において、追加される鉛直方向の伸展は、約２インチであってもよく、追加される水平方向の伸展は約２インチであってもよい。他の実施形態では、追加される鉛直方向および／または水平方向の伸展は、２インチを超えるか２インチ未満であってもよい。上述の通り、レッグレスト台２２の追加される鉛直方向および水平方向の伸展により、使用者にとってより快適である位置にレッグレスト台２２が配置され得る。
【００５８】
レッグレスト機構２２０が後退位置にある場合（図１４に図示）、後側ボードリンク２８８、前側ボードリンク２９０、およびアングルブラケットリンク２９２のいくつか、または、全てが、上側クロスリンク２５２の後ろ側で折りたたまれるか、または、上側クロスリンク２５２と一直線に並ぶので、補助リンク機構２３２付きレッグレスト機構２２０は、（補助リンク機構２３２なしの同一のレッグレスト機構を収容するのに必要とされる、椅子本体１２内のスペース量に比べると）椅子本体１２内に後退するのにそれ程広い追加スペースを必要としない。したがって、補助リンク機構２３２は、レッグレスト機構２２０が後退位置にある場合にも椅子本体１２内に追加スペースを必要とすることなく、レッグレスト台２２を鉛直方向および水平方向にさらに伸展させる。
【００５９】
家具部材１０がリクライニングチェアとして上述かつ図示されるが、レッグレスト機構２０、２２０のいずれも、ソファ、二人掛けソファ、ユニット式ソファまたは他の可動式家具製品のような他のタイプの家具部材に組み込み可能であると認められる。さらに、駆動ロッド２６、２２６は、ハンドル１８に接続され、ハンドル１８によって始動されると記載されるが、駆動ロッド２６、２２６が、電動モータによって駆動可能であることも認められる。
【００６０】
実施形態に関する上記記載は、図解および説明の目的で提供される。網羅的または開示事項を限定することを意図しない。特定の実施形態の個別の要素または特徴は、一般にその特定の実施形態に限定されないが、適用可能な場合には、詳細に図示または説明されないとしても選択された実施形態で交換可能であり、使用可能である。同じものが多くの点で変更されてもよい。そのような変更は本願開示事項からの逸脱とはみなされない。そのような修正は全て本願開示事項の範囲内に含まれることが意図される。
【図１】
2018504981.tif 000003
【図２】
2018504981.tif 000004
【図３】
2018504981.tif 000005
【図４】
2018504981.tif 000006
【図５】
2018504981.tif 000007
【図６】
2018504981.tif 000008
【図７】
2018504981.tif 000009
【図８】
2018504981.tif 000010
【図９】
2018504981.tif 000011
【図１０】
2018504981.tif 000012
【図１１】
2018504981.tif 000013
【図１２】
2018504981.tif 000014
【図１３】
2018504981.tif 000015
【図１４】
2018504981.tif 000016
【図１５】
2018504981.tif 000017
【図１６】
2018504981.tif 000018
【図１７】
2018504981.tif 000019
【図１８】
2018504981.tif 000020
【図１９】
2018504981.tif 000021
【図２０】
2018504981.tif 000022
【国際調査報告】
2018504981.tif 000023
2018504981.tif 000024